(57)【特許請求の範囲】
【請求項１】
電子部品を実装した回路基板と、前記電子部品及び回路基板を収納する収納部を有する偏平なカードケースとからなるカード型電子機器において、
前記カードケースの収納部を、前記回路基板を収納したとき、該回路基板の外周端面と該収納部の内周面とがほぼ面接触する大きさに形成し、
前記カードケースの収納部に、該カードケースの内周壁に沿って凸部を設け、この凸部の上面に接着剤が塗布される塗布面を形成し、
前記電子部品を実装した回路基板の外周縁部を前記凸部の塗布面に塗布された接着剤によって接着するとともに、前記凸部の外側に前記塗布面に塗布された余剰接着剤を逃がす凹部を設け、かつ、前記凸部はその接着剤塗布面が前記凹部に向かって下り勾配の傾斜面に形成されて余剰接着剤が前記凹部に向かって流れるようにしたことを特徴とするカード型電子機器。
【請求項２】
前記凸部は、前記回路基板に実装された電子部品が収納される凹陥部を囲繞するように平面視で、矩形枠状に形成されていることを特徴とする請求項１記載のカード型電子機器。
【請求項３】
前記凸部は、前記カードケースの収納部の内底面から突出する凸条で、該カードケースの内周壁に沿って連続または不連続であることを特徴とする請求項１記載のカード型電子機器。
【発明の詳細な説明】
【０００１】
【発明の属する技術分野】
この発明は、例えば、ＳＤ（Ｓｅｃｕｒｅ  Ｄｉｇｉｔａｌ）カード等のカード型電子機器に関する。
【０００２】
【従来の技術】
昨今のポータブルコンピュータ、携帯電話、音楽プレーヤ、デジタルカメラ等のマルチメディア機器の情報記録媒体として用いられているＳＤ（Ｓｅｃｕｒｅ  Ｄｉｇｉｔａｌ）カードは、近年益々、小型化、薄型化が進んでいる。
【０００３】
例えば、特開２００１−１７５８３４号公報に示すように、両面に電子部品を実装した回路基板を上下一対のケースによって挟み固定したサンドイッチ構造のカード型電子機器、あるいは片面に電子部品を実装した回路基板をカードケースに収納し、回路基板がカードの表面の少なくとも一面に露出し、カード外観を構成しているのカード型電子機器が知られている。
【０００４】
図４は、後者のカード型電子機器を示し、１はカードケースであり、２は回路基板である。カードケース１は、ポリカーボネート樹脂、ＡＢＳ樹脂等の合成樹脂材料によって扁平矩形状に成形されており、長辺が３２ｍｍ、短辺が２４ｍｍ、厚さが１．４ｍｍに設定されている。回路基板２の一方の面にはコントローラ、メモリ等の電子部品３が実装されており、他方の面にはプリント配線が施されているとともに、ホスト用のコンタクト端子（図示しない）が露出して設けられている。
【０００５】
カードケース１には回路基板２を収納する収納部５が設けられ、この収納部５には回路基板２に実装された電子部品３が収納される凹陥部６が設けられている。さらに、この凹陥部６の周囲には凸部７が設けられている。そして、凸部７に常温硬化性の接着剤８を塗布し、回路基板２をカードケース１に収納することにより、回路基板２の外周縁部を接着剤８によって凸部７に接着固定している。
【０００６】
【発明が解決しようとする課題】
しかしながら、カードケース１は、前述したように、小型で、超薄型であり、凸部７の上面に適量の接着剤８を塗布することは非常に困難である。接着剤８の塗布量が少なすぎると、回路基板２が剥離してしまい、多すぎると、余剰接着剤８ａがカードケース１の内周壁と回路基板２の端面との隙間からはみ出てしまうという問題がある。
【０００７】
この発明は、前記事情に着目してなされたもので、その目的とするところは、接着剤の塗布量が多すぎても、余剰接着剤が外部にはみ出すことはなく、組立性の向上を図ることができるとともに、外観品位を保つことができるカード型電子機器を提供することにある。
【０００８】
【課題を解決するための手段】
この発明は、前記目的を達成するために、電子部品を実装した回路基板と、前記電子部品及び回路基板を収納する収納部を有する偏平なカードケースとからなるカード型電子機器において、前記カードケースの収納部を、前記回路基板を収納したとき、該回路基板の外周端面と該収納部の内周面とがほぼ面接触する大きさに形成し、前記カードケースの収納部に、該カードケースの内周壁に沿って凸部を設け、この凸部の上面に接着剤が塗布される塗布面を形成し、前記電子部品を実装した回路基板の外周縁部を前記凸部の塗布面に塗布された接着剤によって接着するとともに、前記凸部の外側に前記塗布面に塗布された余剰接着剤を逃がす凹部を設け、かつ、前記凸部はその接着剤塗布面が前記凹部に向かって下り勾配の傾斜面に形成されて余剰接着剤が前記凹部に向かって流れるようにしたことを特徴とする。
【０００９】
前記構成によれば、前記凸部に接着剤を塗布し、回路基板を接着する際に、接着剤の塗布量が多すぎても、その余剰接着剤は凹部に逃げるため、余剰接着剤が外部にはみ出ることはない。
【００１０】
【発明の実施の形態】
以下、この発明の実施の形態を図面に基づいて説明する。
【００１１】
図１及び図２は第１の実施形態を示し、図１はポータブルコンピュータ、携帯電話、音楽プレーヤ、デジタルカメラ等のマルチメディア機器の情報記録媒体として用いられているカード型電子機器としてのＳＤ（Ｓｅｃｕｒｅ  Ｄｉｇｉｔａｌ）カードの分解斜視図、図２（ａ）は回路基板を接着する前の縦断側面図、（ｂ）は回路基板を接着した後の縦断側面図である。１１はカードケースであり、１２は回路基板である。カードケース１１は、ポリカーボネート樹脂、ＡＢＳ樹脂等の合成樹脂材料によって扁平矩形状に成形されており、長辺が３２ｍｍ、短辺が２４ｍｍ、厚さが１．４ｍｍに設定されている。回路基板１２の一方の面にはコントローラ、メモリ等の電子部品１３が実装されており、他方の面にはプリント配線が施されているとともに、ホスト用のコンタクト端子１４が露出して設けられている。
【００１２】
カードケース１１には回路基板１２を収納する収納部１５が設けられ、この収納部１５には回路基板１２に実装された電子部品１３が収納される凹陥部１６が設けられている。さらに、収納部１５の底面には凹陥部１６を囲撓するように平面視で、矩形枠状の凸部１７が設けられている。そして、凸部１７の上面は平坦面であり、接着剤１８の塗布面に形成されている。
【００１３】
収納部１５における前記凸部１７の外周、つまりカードケース１１の内周壁１１ａとの間には溝状の凹部１９が設けられている。この凹部１９は凸部１７に塗布された接着剤１８が適量より多く塗布され、回路基板１２の接着時に、回路基板１２によって接着剤１８が押し出されたとき、その余剰接着剤１８ａを逃がすようになっている。
【００１４】
接着剤１８は常温硬化性が望ましい。接着剤１８は流動性を有しているため、凸部１７の上面に塗布した後、回路基板１２をカードケース１１に収納して接着剤１８に押し付けると、回路基板１２は凸部１７に接着されるとともに、余剰接着剤１８ａは凹部１９内に流れ込んで溜まる。従って、余剰接着剤１８ａがカードケース１１の内周壁１１ａと回路基板１２の端面１２ａとの隙間からはみ出ることはなく、回路基板１２の表面に接着剤１８が付着することはなく、外観品位を保つことができる。
【００１５】
なお、図２（ｃ）に示すように、凹部１９にその開口まで余剰接着剤１８ａを充填すると、余剰接着剤１８ａが硬化したとき、カードケース１１の外周縁部を接着剤１８が補強してカードケース１１の強度アップを図ることができる。
【００１６】
図３は第２の実施形態を示し、（ａ）は回路基板を接着する前の一部拡大した縦断側面図、（ｂ）は回路基板を接着した後の一部拡大した縦断側面図である。本実施形態は、カードケース１１の収納部１５に設けられた凸部２１の上面の接着剤塗布面が凹部１９に向かって下り勾配の傾斜面２１ａに形成されている。
【００１７】
従って、凸部２１に塗布された接着剤１８が適量より多く塗布され、回路基板１２の接着時に、回路基板１２によって接着剤１８が押し出されたとき、その余剰接着剤１８ａが傾斜面２１ａによって凹部１９に向かって流れ、余剰接着剤１８ａが内側の凹陥部１６に流れるのを防止できる。
【００１８】
なお、前記第１及び第２の実施形態においては、凸部１７，２１は、カードケース１１の内周壁に沿って連続する凸条部であるが、部分的に凸部を設けた不連続の凸条部であってもよい。
【００１９】
さらに、凹部１９にその開口まで接着剤１８が充填されると、凹部１９に充填された接着剤１８が凹部１９と連通するカードケース１１の内周壁１１ａと回路基板１２との隙間にも接着剤１８が充填される。従って、接着剤１８がカードケース１１の内周壁１１ａと回路基板１２との隙間を塞ぎ、塵埃の侵入を防止できる。また、接着剤１８が硬化すると、カードケース１１の外周縁部を接着剤１８が補強してカードケース１１の強度アップを図ることができる。
【００２０】
しかも、回路基板１２の接着面積が広くなり、より高い接着力で固定できるとともに、接着剤１８が硬化すると、カードケース１１の外周縁部の曲げ剛性が高くなり、強度アップを図ることができる。
【００２１】
【発明の効果】
以上説明したように、この発明によれば、カードケースの凸部に接着剤を塗布し、回路基板を接着する際に、接着剤の塗布量が多すぎても、その余剰接着剤は凹部に逃げるため、余剰接着剤が外部にはみ出ることはなく、組立性を向上できるとともに、外観品位を保つことができる。さらに、余剰接着剤が硬化すると、カードケースの強度アップを図ることができる。
【図面の簡単な説明】
【図１】この発明の第１の実施形態を示し、ＳＤカードの分解斜視図。
【図２】同実施形態を示し、（ａ）は回路基板を接着する前の縦断側面図、（ｂ）は回路基板を接着した後の縦断側面図、（ｃ）は変形例を示し、回路基板を接着した後の縦断側面図。
【図３】この発明の第２の実施形態を示し、（ａ）は回路基板を接着する前の縦断側面図、（ｂ）は回路基板を接着した後の縦断側面図。
【図４】従来のＳＤカードを示し、（ａ）は回路基板を接着する前の縦断側面図、（ｂ）は回路基板を接着した後の縦断側面図。
【符号の説明】
１１…カードケース
１２…回路基板
１５…収納部
１７…凸部
１８…接着剤
１９…凹部
【図１】
0003621669.tif 000002
【図２】
0003621669.tif 000003
【図３】
0003621669.tif 000004
【図４】
0003621669.tif 000005